(57)【要約】【課題】本発明は、ネットの補修が容易であり、また、作業性にとんだネットの補修方法を提供することを課題とする。【解決手段】屋内外の空間部の外周に沿って立設した各支柱の上下方向に吊り架けしたガイド用ワイヤロープにリング体を介して吊り張りし、該ガイド用ワイヤロープに並行して吊り架けした駆動用ワイヤロープで昇降移動する防球用のネットの補修方法であって、ネットの補修部分の１枚又は複数枚のネット体を取り外した後、補修用のネット体の少なくとも両端側又は近傍の上下方向に着脱可能なリング体が挿通した取付用の紐状体を取り付け、補修用のネット体とその両端側の隣り合うネット体とを紐状体への取りつけ間を調整した各リング体で連結することでネットの補修を行うことである。【選択図】図１
2012005796.tif 000002
【特許請求の範囲】
【請求項１】
屋外の空間部の外周に沿って立設した各支柱の上下方向に吊り架けしたガイド用ワイヤロープにリング体を介して吊り張りし、該ガイド用ワイヤロープに並行して吊り架けした駆動用ワイヤロープで昇降移動する防球用ネットの補修方法であって、補修用のネット体の少なくとも両端側又はその近傍の上下方向に着脱可能なリング体を挿通した取付用の紐状体を取り付け、各リング体間を調整して紐状体に固定した後、取り外した１枚又は複数枚の磨耗して取り外したネット部分に補修用のネット体を位置し、該ネット体の両端側を隣り合うネット体の端部と各リング体で連結することでネットの補修を行うことを特徴とするネットの補修方法
【請求項２】
前記補修部分のネット体を取り外す際、該ネット体と隣り合う両端側のネット体と連結した各リング体を解除した後、取付用の紐状体をネット体より離反することで補修部分のネット体を取り外すことを特徴とする請求項１に記載のネットの補修方法。
【発明の詳細な説明】
【技術分野】
【０００１】本発明は、屋外の例えば、ゴルフ練習施設に設けられた防球用のネットの補修方法に関する。
【背景技術】
【０００２】従来、屋外のゴルフ練習施設は、ゴルフ球の打ち放つ空間部の外周に沿って所望の間隔で立設した複数本の支柱と、該支柱の上下方向に吊り架けしたガイド用ワイヤロープと、該ガイド用ワイヤロープに並行してループ状に吊り架けした駆動用ワイヤロープと、該駆動用ワイヤロープを駆動すべく支柱の下端側に取り付けられたウインチと、前記ガイド用ワイヤロープにリング体を介して移動自在に取り付けられ、先端側を駆動用ワイヤロープに連結した防球用のネットから構成され、通常、駆動用ワイヤロープをウインチでループ状に駆動し、ネットをガイド用ワイヤロープに沿って上昇移動して空間部に沿って吊り張りすることで、ゴルフ球の防球用として使用する。【０００３】また、風の強い日は、ネットが風の影響を受け支柱が倒壊する危険があるために、ウインチで駆動用ワイヤロープを駆動し、ガイド用ワイヤロープに沿ってネットを下方側に移動して収納することで風の影響を直接受けないようにしている。【０００４】上記ネットは、支柱間の距離毎に１枚とするネット体を繋ぎ合わせて１枚の防球用のネットを形成している。【０００５】また、上記ネットは、ゴルフ球が頻繁に当接する部分、風等で引っ張られる部分、取り付けリング体と接する部分、及び地面と接する部分が他の部分に比し磨耗しやすく、その部分のネットは頻繁に補修する必要がある。【０００６】この場合、補修部分のネット体をその両端側のネット体より取り外し、新たなネット体を取り付けることで取り替え補修していた。
【発明が解決しようとする課題】
【０００７】しかしながら、上記従来のネットの補修方法は、ガイド用ワイヤロープを挿通しネットに直接取り付けられたリング体部分を残し、その間でネットを分断して取り外した後、補修用のネットと両端側のネットとの両側面を重ね合わせてその部分を縫い合わせて取り付けることで隣り合うネットと連結しているために、ネットの取り外し及び取り付け作業が煩雑であるという欠点があった。
【０００８】また、補修部分のネット体は上記理由により、その近傍ではガイド用ワイヤロープを挿通したリング体が磨耗していることが多く、ネット体の取替えの際に、リング体の一部も取り替える必要があるが、その部分の取替え作業は、先ずリング体を取り替えた後にネット体を取り替える作業を行うために、さらに煩雑な作業を要するという欠点があった。
【０００９】そこで、本発明はネットの補修部分の取替え作業が容易で、且つ作業性に優れたネットの補修方法を提供する。
【課題を解決するための手段】
【００１０】本発明の上記課題を解決する手段は、請求項１に記載のように、屋外の空間部の外周に沿って立設した各支柱の上下方向に吊り架けしたガイド用ワイヤロープにリング体を介して吊り張りし、該ガイド用ワイヤロープに並行して吊り架けした駆動用ワイヤロープで昇降移動する防球用ネットの補修方法であって、補修用のネット体の少なくとも両端側又は近傍の上下方向に着脱可能なリング体が挿通した取付用の紐状体を取り付け、各リング体間を調整して紐状体に固定した後、取り外した１枚又は複数枚の磨耗して取り外したネット部分に補修用のネット体を位置し、該ネット体の両端側を隣り合うネット体の端部とリング体で連結することでネットの補修を行うことを特徴とする。
【００１１】また、具体的には、請求項２に記載のように、前記補修部分のネット体を取り外す際、該ネット体と隣り合う両端側のネット体と連結した各リング体を解除した後、取付用の紐状体をネット体より離反することで補修部分のネット体を取り外すことを特徴とする。
【発明の作用効果】
【００１２】次に、本発明のネットの補修方法の作用及び効果について説明する。
【００１３】屋外の空間部の外周に沿って空間部を囲むように立設された支柱の上下方向にガイド用ワイヤロープを吊り架けし、該ガイド用ワイヤロープにリング体を介して移動自在に複数枚のネット体で形成された防球用のネットを吊り張りし、該ネットの上端部を連結し、ガイド用ワイヤロープに並行して駆動用ワイヤロープを吊り架けし、支柱の下端側に取り付けたウインチで該駆動用ワイヤロープを駆動する。
【００１４】上記のように構成された屋外の施設に吊り張りしたネットは、その使用により部分的に磨耗することが多く、その部分のネットは下記のように補修する。
【００１５】ネットを補修する場合は、先ず駆動用ワイヤロープを駆動しガイド用ワイヤロープに沿って防球用のネットを下方側に移動し、その後、磨耗した部分のネット体を支柱間の幅で取り外す。
【００１６】そして、補修用のネット体の少なくとも両端側にリング体を挿通した取付用の紐状体を該ネット体の上下方向に取り付け、その後、各リング体間を所望の幅で調整して紐状体に固定し、該リング体を用いて既に取り付けられているその両端側のネット体と連結することで補修用のネット体を取り付ける。
【００１７】この際、ネット体を同時に複数枚取り替える場合は、同時に複数枚の磨耗したネット体を支柱間で取り外し、補修用のネット体を複数枚連結した後、支柱に該当する位置で該ネット体の上下方向にリング体を挿通した紐状体を取り付け、リング体間を所望の幅で調整して紐状体に固定する。
【００１８】そして、その両端側に取り付けられた紐状体に固定したリング体を介してその両端側のネットと連結することで補修用のネット体を取り付ける。
【００１９】このように、補修用のネット体はリング体を介して隣り合うネット体と連結するために、その取り付け作業が容易であり、スムーズに補修用のネット体を取り付けすることができる。
【００２０】また、リング体は紐状体に取り付けられているために、リング体の磨耗は紐状体より取り外すことで容易に取替えすることができる。
【００２１】また、補修用のネット体の大きさを決定した後、紐状体を取り付けるために補修用のネット体の形成が容易である。
【００２２】次に、このようにして取り付けられた補修用のネットは、両端側のリング体を解除することで、隣り合うネットより取り外すことができ、再度の補修を行うことができる。
【００２３】このように、本発明のネットの補修方法は、ネット体の取り付け作業が容易であり、また作業時間も削減することができる。
【００２４】また、ネット体の取替えが容易であるので、作業コストを削減することができる。
【発明を実施するための最良の実施の形態】
【００２５】以下、本発明のネットの補修方法の一実施例の図面を用いて説明する。
【００２６】図１は、本発明のネットの補修方法を示すフローチャートであり、図２は補修用のネット体を示す概略説明正面図であり、図３は補修用のネット体の連結部分を示す概略説明正面図であり、図４は本発明のネットの補修方法をゴルフ練習場に使用する一実施例を示す概略説明平面図であり、図５はネットの昇降移動を示す概略説明側面図であり、図６はネットの補修方法の一実施例を示す概略説明正面図であり、図７は本発明のネットの補修方法の他実施例を示すフローチャートである。
【００２７】本発明のネットの補修方法に使用する補修用のネット体１は、所望の大きさに形成され、両端側の上下方向に複数のリング体２の挿通された取付用の紐状体３を取り付けることで構成されている。
【００２８】上記リング体２は、取付用の紐状体３に移動自在に複数個挿通され、所望の位置で該紐状体３に固定すべく周知の固定手段が設けられている取付部４とワイヤロープを挿通する挿通部５から構成されている。
【００２９】上記紐状体３はリング体２を取り付け可能な強度を有するロープで形成されネット体１の網目部分を傷つけにくい材質で構成されている。
【００３０】ネット１０を補修する場合は、上記ネット体１の両端側の上下方向に紐状体３を取り付け、該紐状体３に挿通したリング体２を紐状体３に所望の間隔を空けて固定し、該リング体２を用いて隣り合うすでに吊り張りされている他のネット体１Ａと連結することで取り付け、ネット１０の補修を行う。
【００３１】上記ネットの補修方法において、ネット体１への紐状体３の取り付けは、両端側に限定されず、端部の近傍に取り付けることで、隣り合うネット体１Ａと端部を重ね合わせ連結部の補強を行うことも可能である。
【００３２】特に、ネット体１は補修時にリング体２を取り付けるために、ネット体１の運搬時にネット体１が磨耗しない。
【００３３】また、紐状体３に取り付けたリング体２は、上記ネット体１の連結とネット１０の吊り張り用との両方に使用でき、従来にない利用が可能となった。
【００３４】本発明のネットの補修方法は一般的には上記のように利用され、次に、上記ネットの補修方法を屋外のゴルフ練習場で使用する場合について説明する。
【００３５】ゴルフ練習場は、ゴルフ球を打ち放つ空間部１２と、該空間部１２の外周に所望の間隔で立設した支柱１３と、該支柱１３の上下方向に吊り架けしたガイド用ワイヤロープ１４と、該ガイド用ワイヤロープ１４にリング体２を介して吊り張りし複数枚のネット体１で形成したネット１０と、前記ガイド用ワイヤロープ１４に並行しループ状に吊り架けし、ネット１０の上端部分を直接又は間接的に連結した駆動用ワイヤロープ１５と、該駆動用ワイヤロープ１５をループ状に移動すべく支柱１３の下方側に取り付け具を介して取り付けたウインチ１６とから構成されている。
【００３６】上記ゴルフ練習場は、多くのゴルフ球が空間部１２に放たれ、ネット１０に当接するために、ゴルフ球が多く当たる部分のネット体１が磨耗しやすく、補修対象となる。
【００３７】補修対象のネット体１を補修する場合は、先ず空間部１２に沿って吊り張りしたネット１０を、ウインチ１６を駆動して駆動用ワイヤロープ１５をループ状に移動し、ネット１０をガイド用ワイヤロープ１４に沿って下方側に収納移動する。
【００３８】そして、補修対象部分のネット体１は、支柱１３間を１単位としてリング体２の部分で切り離した後、取り外す。
【００３９】次に、補修用のネット体１の両端側に紐状体３をネット体１の上下方向に取り付け、その後、紐状体３に取り付けられた複数のリング体２をそれぞれ所望の間隔で該紐状体３に固定し、該リング体２を介して隣り合う他のネット体１Ａと端部を重ねて連結することで取り付ける。
【００４０】そして、上記リング体２にガイド用ワイヤロープ１４を挿通し、ネット体１の上端部を駆動用ワイヤロープ１５に連結する。
【００４１】その後、ウインチ１６を駆動し駆動用ワイヤロープ１５をループ状に駆動し、ネット１０をガイド用ワイヤロープ１４に沿って上方に移動することでネット１０を空間部１２に吊り張りすることで、ネット体１の補修作業を終了する。
【００４２】このように、本発明のネットの補修方法は、補修部分のネット体の取り付け作業が簡易に行える。
【００４３】また、紐状体３の取り付けにより、リング体２を直接ネットに取り付ける場合に比し、リング体２によるネット体１の磨耗を解消することができる。
【００４４】さらに、補修用のネット体１を支柱１３間の幅で形成することができるために、予めネット体１の形状を把握し易く、また、同時に複数のネット体１を補修で取り替える場合も支柱１３間で同時に複数のネット体１を形成できる利点がある。
【００４５】また、紐状体３に取り付けられたリング体２でネット体１を連結するために連結部分の強度を保つことができる。
【００４６】次に、上記のように取り付けた補修用のネット体１を再度補修する場合は上記場合と同様に、ウインチ１６を駆動して駆動用ワイヤロープ１５をループ状に移動し、ネット１０をガイド用ワイヤロープ１４に沿って下方に収納移動する。
【００４７】そして、リング体２を隣り合う他のネット体１Ａから取り外し、紐状体３をネット体１より取り外すことで補修部分のネット体１を取り外すことができる。
【００４８】この際、磨耗したリング体２のみを取替えて紐状体３に挿通して再度利用することができる。
【図面の簡単な説明】
【００４９】
【図１】本発明のネットの補修方法の一実施例を示すフローチャート
【図２】補修用のネット体を示す概略説明正面図
【図３】ネット体の連結部を示す概略説明正面図
【図４】本発明のネットの補修方法を利用する一実施例のゴルフ練習場を示す概略説明平面図
【図５】ネットの昇降移動を示す概略説明側面図
【図６】補修用のネット体の取り付け状況を示す概略説明正面図
【図７】本発明のネットの補修方法の他実施例を示すフローチャート
【図１】
2012005796.tif 000003
【図２】
2012005796.tif 000004
【図３】
2012005796.tif 000005
【図４】
2012005796.tif 000006
【図５】
2012005796.tif 000007
【図６】
2012005796.tif 000008
【図７】
2012005796.tif 000009